【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】    【請求項１】 フィルタ素子を挟んで該フィルタ素子の両側にそれぞれ１又は２以上の導光体が配置され、前記導光体のうちのある第１の導光体とある第２の導光体とが前記フィルタ素子の透過波長域にある光を第１の導光体から第２の導光体へフィルタ素子を透過させて伝送させるようになった光合分波器であって、 前記フィルタ素子は、屈折率が比較的高い高屈折率層と屈折率が比較的低い低屈折率層を交互に積層した多層膜を有し、前記フィルタ素子の周囲媒質の屈折率をｎ（０）、前記低屈折率層の屈折率及び全体の物理的厚さをそれぞれｎ（Ｌ）及びｔ（Ｌ）、前記高屈折率層の屈折率及び全体の物理的厚さをそれぞれｎ（Ｈ）及びｔ（Ｈ）とするとき、前記フィルタ素子の媒質換算厚みＴが、Ｔ=ｔ（Ｈ）・ｎ（０）／ｎ（Ｈ）＋ｔ（Ｌ）・ｎ（０）／ｎ（Ｌ）によって定められ、さらに、前記フィルタ素子に入射する光が前記フィルタ素子の表面に立てた法線となす角度をθとし、前記フィルタ素子への入射光の波長λに依存して変化する係数をＡ（λ）とするとき、前記第１の導光体の光軸と第２の導光体の光軸とが、次式δ＝Ａ（λ）・Ｔ・tanθで定義される軸ズレ量δを有していることを特徴とする光合分波器。    【請求項２】 前記フィルタ素子は、少なくとも波長が１３００ｎｍと１４８０ｎｍと１５００ｎｍの３種類の光を透過するとともに、波長が１５５０ｎｍの光を反射する多層膜を有し、入射光の入射点における前記フィルタ素子の入射面に立てた法線と入射方向を含む平面に対して垂直な方向の偏波をＳ偏波とし、Ｓ偏波に直交する偏波をＰ偏波とするとき、 前記係数Ａ（λ）は、入射光の波長λが１３００ｎｍのＳ偏波に対しては、Ａ（λ）＝０.０６６〜０.０７５であり、入射光の波長λが１４８０ｎｍのＳ偏波に対しては、Ａ（λ）＝０.４０〜０.５０であり、入射光の波長λが１５００ｎｍのＳ偏波に対しては、Ａ（λ）＝０.６０〜０.９０であり、入射光の波長λが１３００ｎｍのＰ偏波に対しては、Ａ（λ）＝０.０６０〜０.０９０であり、入射光の波長λが１４８０ｎｍのＰ偏波に対しては、Ａ（λ）＝０.３８〜０.４８であり、入射光の波長λが１５００ｎｍのＰ偏波に対しては、Ａ（λ）＝０.５５〜０.７３である、ことを特徴とする、請求項１に記載の光合分波器。    【請求項３】  ｐを自然数として、前記多層膜フィルタを透過させて利用する光信号が波長の異なる複数種類の信号であるとき、それらの各波長をλ１，λ２，λ３，・・・λｐとし、前記Ａ（λ）は、Ａ（λ１）〜Ａ（λｐ）の平均値であることを特徴とする、請求項１に記載の光波長選択回路。    【請求項４】  入射光の波長λに依存して変化する係数をＧ（λ）とし、前記Ｇ（λ）が、入射光の波長が１５５０ｎｍのＳ偏波に対して０．５７〜０．７９の値を取り、Ｐ偏波に対して０．６５〜０．９６の値を取るように入射光の波長λに依存して変化する係数Ｇ（λ）であるとし、以下の取扱における前記係数Ｇ（λ）は、出射光としてＳ偏波を重視するときは前記Ｓ偏波に対する値を用い、出射光としてＰ偏波を重視するときは前記Ｐ偏波に対する値を用い、出射光としてＳ偏波とＰ偏波の双方を重視するときは前記Ｓ偏波に対する値と前記Ｐ偏波に対する値の単純平均と偏波状況に応じた加重平均のいず��か一方を用いることとし、前記多層膜フィルタの一方の側には、前記多層膜フィルタを挟んで対向している２つの導光体のうちの１つを含んで、少なくとも２個の導光体の開口が接近して配置されており、前記多層膜フィルタの一方の側に前記接近して配置されている２個の導光体の光軸が、前記接近して配置されている２個の導光体の一方から出射された光ビームが前記多層膜フィルタの多層膜の表面から、Ｄ＝０．５ｎ（０）（ｔ（Ｌ）／ｎ（Ｌ）＋ｔ（Ｈ）／ｎ（Ｈ））Ｇ（λ）で与えられる周囲媒質からの延長で測る見かけの深さ（媒質換算深さ）Ｄの深さで交差するように、前記波長選択多層膜フィルタの一方の側の前記接近して配置されている２個の導光体の開口が配置されていることを特徴とする、請求項１乃至３のいずれか１項に記載の光波長選択回路。    【請求項５】  ｑを自然数として、前記多層膜フィルタを反射させて利用する光信号が波長の異なる複数種類の信号であるとき、それらの各波長をλ１，λ２，λ３，・・・λｑとし、前記Ｇ（λ）に、Ｇ（λ１）〜Ｇ（λｑ）の平均値を用いることを特徴とする、請求項１乃至４のいずれか１項に記載の光波長選択回路。    【請求項６】  前記多層膜フィルタが、光波長選択回路に使用された状態において該多層膜フィルタの多層膜を成長させた基板を有していないことを特徴とする、請求項１乃至５のいずれか１項に記載の光波長選択回路。    【請求項７】  前記多層膜フィルタが、光波長選択回路に使用された状態において該多層膜フィルタの基板を有しており、その基板がフッ素化ポリイミド基板であることを特徴とする、請求項１乃至５のいずれか１項に記載の光波長選択回路。    【請求項８】  前記多層膜フィルタの前記基板の厚みが５μｍであることを特徴とする、請求項７に記載の光波長選択回路。    【請求項９】  前記多層膜フィルタとその両側に対向して開口部が配置されている導光体の間にレンズが配置されていないことを特徴とする、請求項１乃至８のいずれか１項に記載の光波長選択回路。    【請求項１０】  前記角度θが６°〜１０°であることを特徴とする、請求項１乃至９のいずれか１項に記載の光波長選択回路。    【請求項１１】  前記係数Ａ（λ）として、波長λが１４８０ｎｍのときの値を用いたことを特徴とする、請求項１乃至１０のいずれか１項に記載の光波長選択回路。【手続補正２】
【補正対象書類名】明細書
【補正対象項目名】００４０
【補正方法】変更
【補正の内容】
【００４０】  本発明の目的を達成するため、本発明の請求項１に記載の光波長選択回路は、フィルタ素子を挟んで該フィルタ素子の両側にそれぞれ１又は２以上の導光体が配置され、前記導光体のうちのある第１の導光体とある第２の導光体とが前記フィルタ素子の透過波長域にある光を第１の導光体から第２の導光体へフィルタ素子を透過させて伝送させるようになった光合分波器であって、前記フィルタ素子は、屈折率が比較的高い高屈折率層と屈折率が比較的低い低屈折率層を交互に積層した多層膜を有し、前記フィルタ素子の周囲媒質の屈折率をｎ（０）、前記低屈折率層の屈折率及び全体の物理的厚さをそれぞれｎ（Ｌ）及びｔ（Ｌ）、前記高屈折率層の屈折率及び全体の物理的厚さをそれぞれｎ（Ｈ）及びｔ（Ｈ）とするとき、前記フィルタ素子の媒質換算厚みＴが、Ｔ=ｔ（Ｈ）・ｎ（０）／ｎ（Ｈ）＋ｔ（Ｌ）・ｎ（０）／ｎ（Ｌ）によって定められ、さらに、前記フィルタ素子に入射する光が前記フィルタ素子の表面に立てた法線となす角度をθとし、前記フィルタ素子への入射光の波長λに依存して変化する係数をＡ（λ）とするとき、前記第１の導光体の光軸と第２の導光体の光軸とが、次式δ＝Ａ（λ）・Ｔ・tanθで定義される軸ズレ量δを有していることを特徴としている。 請求項２に記載の光波長選択回路は、請求項１に記載の光波長選択回路において、前記フィルタ素子は、少なくとも波長が１３００ｎｍと１４８０ｎｍと１５００ｎｍの３種類の光を透過するとともに、波長が１５５０ｎｍの光を反射する多層膜を有し、入射光の入射点における前記フィルタ素子の入射面に立てた法線と入射方向を含む平面に対して垂直な方向の偏波をＳ偏波とし、Ｓ偏波に直交する偏波をＰ偏波とするとき、前記係数Ａ（λ）は、入射光の波長λが１３００ｎｍのＳ偏波に対しては、Ａ（λ）＝０.０６６〜０.０７５であり、入射光の波長λが１４８０ｎｍのＳ偏波に対しては、Ａ（λ）＝０.４０〜０.５０であり、入射光の波長λが１５００ｎｍのＳ偏波に対しては、Ａ（λ）＝０.６０〜０.９０であり、入射光の波長λが１３００ｎｍのＰ偏波に対しては、Ａ（λ）＝０.０６０〜０.０９０であり、入射光の波長λが１４８０ｎｍのＰ偏波に対しては、Ａ（λ）＝０.３８〜０.４８であり、入射光の波長λが１５００ｎｍのＰ偏波に対しては、Ａ（λ）＝０.５５〜０.７３であることを特徴としている。
【手続補正３】
【補正対象書類名】明細書
【補正対象項目名】００４１
【補正方法】変更
【補正の内容】
【００４１】  請求項３に記載の光波長選択回路は、請求項１に記載の光波長選択回路において、ｐを自然数として、前記多層膜フィルタを透過させて利用する光信号が波長の異なる複数種類の信号であるとき、それらの各波長をλ１，λ２，λ３，・・・λｐとし、前記Ａ（λ）は、Ａ（λ１）〜Ａ（λｐ）の平均値であることを特徴としている。
【手続補正４】
【補正対象書類名】明細書
【補正対象項目名】００４２
【補正方法】変更
【補正の内容】
【００４２】  請求項４に記載の光波長選択回路は、請求項１乃至３のいずれか１項に記載の光波長選択回路において、入射光の波長λに依存して変化する係数をＧ（λ）とし、前記Ｇ（λ）が、入射光の波長が１５５０ｎｍのＳ偏波に対して０．４７〜０．９１の値を取り、Ｐ偏波に対して０．６５〜０．９６の値を取るように入射光の波長λに依存して変化する係数Ｇ（λ）であるとし、以下の取扱における前記係数Ｇ（λ）は、出射光としてＳ偏波を重視するときは前記Ｓ偏波に対する値を用い、出射光としてＰ偏波を重視するときは前記Ｐ偏波に対する値を用い、出射光としてＳ偏波とＰ偏波の双方を重視するときは前記Ｓ偏波に対する値と前記Ｐ偏波に対する値の単純平均と偏波状況に応じた加重平均のいずれか一方を用いることとし、前記多層膜フィルタの一方の側には、前記多層膜フィルタを挟んで対向している２つの導光体のうちの１つを含んで、少なくとも２個の導光体の開口が接近して配置されており、前記多層膜フィルタの一方の側に前記接近して配置されている２個の導光体の光軸が、前記接近して配置されている２個の導光体の一方から出射された光ビームが前記多層膜フィルタの多層膜の表面から、Ｄ＝０．５ｎ（０）（ｔ（Ｌ）／ｎ（Ｌ）＋ｔ（Ｈ）／ｎ（Ｈ））Ｇ（λ）で与えられる周囲媒質からの延長で測る見かけの深さ（媒質換算深さ）Ｄの深さで交差するように、前記波長選択多層膜フィルタの一方の側の前記接近して配置されている２個の導光体の開口が配置されていることを特徴としている。
【手続補正５】
【補正対象書類名】明細書
【補正対象項目名】００４３
【補正方法】変更
【補正の内容】
【００４３】  請求項５に記載の光波長選択回路は、請求項１乃至４のいずれか１項に記載の光波長選択回路において、ｑを自然数として、前記多層膜フィルタを透過させて利用する光信号が波長の異なる複数種類の信号であるとき、それらの各波長をλ１，λ２，λ３，・・・λｑとし、前記Ｇ（λ）に、Ｇ（λ１）〜Ｇ（λｑ）の平均値を用いることを特徴としている。
【手続補正６】
【補正対象書類名】明細書
【補正対象項目名】００４４
【補正方法】変更
【補正の内容】
【００４４】  請求項６に記載の光波長選択回路は、請求項１乃至５のいずれか１項に記載の光波長選択回路において、前記多層膜フィルタが、光波長選択回路に使用された状態において該多層膜フィルタの多層膜を成長させた基板を有していないことを特徴としている。
【手続補正７】
【補正対象書類名】明細書
【補正対象項目名】００４５
【補正方法】変更
【補正の内容】
【００４５】  請求項７に記載の光波長選択回路は、請求項１乃至５のいずれか１項に記載の光波長選択回路において、前記多層膜フィルタが、光波長選択回路に使用された状態において該多層膜フィルタの基板を有しており、その基板がフッ素化ポリイミド基板であることを特徴としている。
【手続補正８】
【補正対象書類名】明細書
【補正対象項目名】００４６
【補正方法】変更
【補正の内容】
【００４６】  請求項８に記載の光波長選択回路は、請求項７に記載の光波長選択回路において、前記多層膜フィルタの前記基板の厚みが５μｍであることを特徴としている。
【手続補正９】
【補正対象書類名】明細書
【補正対象項目名】００４７
【補正方法】変更
【補正の内容】
【００４７】  請求項９に記載の光波長選択回路は、請求項１乃至８のいずれか１項に記載の光波長選択回路において、前記多層膜フィルタとその両側に対向して開口部が配置されている導光体の間にレンズが配置されていないことを特徴としている。
【手続補正１０】
【補正対象書類名】明細書
【補正対象項目名】００４８
【補正方法】変更
【補正の内容】
【００４８】  請求項１０に記載の光波長選択回路は、請求項１乃至９のいずれか１項に記載の光波長選択回路において、前記角度θが６°〜１０°であることを特徴としている。
【手続補正１１】
【補正対象書類名】明細書
【補正対象項目名】００４９
【補正方法】変更
【補正の内容】
【００４９】  請求項１１に記載の光波長選択回路は、請求項１乃至１０のいずれか１項に記載の光波長選択回路において、前記係数Ａ（λ）として、波長λが１４８０ｎｍのときの値を用いたことを特徴としている。
【手続補正１２】
【補正対象書類名】図面
【補正対象項目名】図１
【補正方法】変更
【補正の内容】
【図１】
2005031398.tif 000001
【手続補正１３】
【補正対象書類名】図面
【補正対象項目名】図５
【補正方法】変更
【補正の内容】
【図５】
2005031398.tif 000002
【手続補正１４】
【補正対象書類名】図面
【補正対象項目名】図６
【補正方法】変更
【補正の内容】
【図６】
2005031398.tif 000003
【手続補正１５】
【補正対象書類名】図面
【補正対象項目名】図７
【補正方法】変更
【補正の内容】
【図７】
2005031398.tif 000004
【手続補正１６】
【補正対象書類名】図面
【補正対象項目名】図８
【補正方法】変更
【補正の内容】
【図８】
2005031398.tif 000005
【手続補正１７】
【補正対象書類名】図面
【補正対象項目名】図９
【補正方法】変更
【補正の内容】
【図９】
2005031398.tif 000006
【手続補正１８】
【補正対象書類名】図面
【補正対象項目名】図１０
【補正方法】変更
【補正の内容】
【図１０】
2005031398.tif 000007
【手続補正１９】
【補正対象書類名】図面
【補正対象項目名】図１１
【補正方法】変更
【補正の内容】
【図１１】
2005031398.tif 000008
【手続補正２０】
【補正対象書類名】図面
【補正対象項目名】図１２
【補正方法】変更
【補正の内容】
【図１２】
2005031398.tif 000009
【手続補正２１】
【補正対象書類名】図面
【補正対象項目名】図１３
【補正方法】変更
【補正の内容】
【図１３】
2005031398.tif 000010
【手続補正２２】
【補正対象書類名】図面
【補正対象項目名】図１４
【補正方法】変更
【補正の内容】
【図１４】
2005031398.tif 000011
【手続補正２３】
【補正対象書類名】図面
【補正対象項目名】図１５
【補正方法】変更
【補正の内容】
【図１５】
2005031398.tif 000012
【手続補正２４】
【補正対象書類名】図面
【補正対象項目名】図２７
【補正方法】変更
【補正の内容】
【図２７】
2005031398.tif 000013
【手続補正２５】
【補正対象書類名】図面
【補正対象項目名】図２８
【補正方法】変更
【補正の内容】
【図２８】
2005031398.tif 000014
【手続補正２６】
【補正対象書類名】図面
【補正対象項目名】図２９
【補正方法】変更
【補正の内容】
【図２９】
2005031398.tif 000015
【手続補正２７】
【補正対象書類名】図面
【補正対象項目名】図３０
【補正方法】変更
【補正の内容】
【図３０】
2005031398.tif 000016